(57)【要約】【課題】  新たな光源や複雑な導光部を設けることなく、入力操作部の近傍に設けられた既存の光源からの光で入力操作部を照明することを課題とする。【解決手段】  照明装置は、被照明部の近傍に配置され、被照明部の照明以外の機能のために設けられた光源（６４，７４）を有する。投光部（４０，８０）は、照明位置と非照明位置との間で移動可能であり、照明位置に移動した際に光源（６４，７４）からの光を被照明部に向けて照射する。【選択図】  図１２
2014120288.tif 000002
【特許請求の範囲】
【請求項１】
被照明部の近傍に配置され、前記被照明部の照明以外の機能のために設けられた光源と、
照明位置と非照明位置との間で移動可能であり、前記照明位置に移動した際に前記光源からの光を前記被照明部に向けて照射する投光部と
を有する照明装置。
【請求項２】
請求項１記載の照明装置であって、
前記投光部は、前記光源からの光を異なる方向に向けて反射する反射面を含む照明装置。
【請求項３】
請求項１又は２記載の照明装置であって、
前記投光部の前記照明位置は、前記非照明位置より前記光源から離間した位置である照明装置。
【請求項４】
請求項３記載の照明装置であって、
前記投光部を、前記光源から離間する方向に付勢する弾性体を有する照明装置。
【請求項５】
請求項１乃至４のうちいずれか一項記載の照明装置を有し、
前記照明装置からの光で入力操作部を照明する電子機器。
【請求項６】
請求項５記載の電子機器であって、
前記光源は、前記照明装置の光源として用いられる以外に前記電子機器の表示機能用の光源として用いられる電子機器。
【請求項７】
請求項５又は６記載の電子機器であって、
前記投光部の前記非照明位置は前記投光部が前記電子機器の本体の筺体内に収容される位置であり、前記照明位置は前記投光部が前記筺体から突出した位置である電子機器。
【発明の詳細な説明】
【技術分野】
【０００１】
実施形態は、電子機器の入力操作部を照明する装置に関する。
【背景技術】
【０００２】
ノートパソコン等の電子機器は、暗い場所で使用されることがある。例えば、飛行機の中でノートパソコンを使用する場合、飛行機の中の照明が弱められて暗い中でもノートパソコンのキーを操作して入力操作を行なうことがある。このような場合、操作部のキーを視認できて、且つ周囲の邪魔にならないように、キーのみを照明することが望ましい。
【０００３】
そこで、電子機器の被照明物の近傍に導光体を配置し、光源としてＬＥＤを導光体の一端に配置することで、ＬＥＤからの光を導光体を介して被照明物に照射する側面発行ユニットが提案されている（例えば、特許文献１参照）。また、バックライトを有するＬＣＤが操作部（キーボード）の近傍に設けられた情報処理装置において、バックライトの光を導光部により導いて操作部を斜め上から照明することが提案されている（例えば、特許文献２参照）。
【先行技術文献】
【特許文献】
【０００４】
【特許文献１】国際公開ＷＯ２００７／０９７１１７のパンフレット
【特許文献２】特開２００１−６７１４５号公報
【発明の概要】
【発明が解決しようとする課題】
【０００５】
特許文献１に開示されているように照明用の光源を付加的に設け、且つ当該光源からの光を導く導光体を設けることは、電子機器の小型化、薄型化を阻害する要因となる。また、電子機器の部品点数が増え、製造コストが上昇してしまう。
【０００６】
特許文献２に開示されているように表示装置のバックライトからキーボードまで光を導くための導光部は、その構造が複雑であり、情報処理装置の小型化、薄型化を阻害するおそれがある。また、付加的に導光部を設ける分、情報処理装置の製造コストが上昇してしまう。
【０００７】
そこで、上述の問題を解決するために、新たな光源や複雑な導光部を設けることなく、操作部を照明することのできる照明装置の開発が望まれている。
【課題を解決するための手段】
【０００８】
一実施態様によれば、被照明部の近傍に配置され、前記被照明部の照明以外の機能のために設けられた光源と、照明位置と非照明位置との間で移動可能であり、前記照明位置に移動した際に前記光源からの光を前記被照明部に向けて照射する投光部とを有する照明装置が提供される。また、上述の照明装置を有し、前記照明装置からの光で入力操作部を照明する電子機器が提供される。
【発明の効果】
【０００９】
実施形態によれば、入力操作部の近傍に設けられた既存の光源からの光で入力操作部を照明することができる。
【図面の簡単な説明】
【００１０】
【図１】一実施形態による照明装置が設けられた電子機器の斜視図である。
【図２】図１に示すＡ部の拡大図である。
【図３】電源ボタンが上に飛び出した状態を示す図である。
【図４】ノートパソコンの本体部の平面図である。
【図５】図４におけるＶ−Ｖ線に沿った拡大断面図である。
【図６】図４におけるＶＩ−ＶＩ線に沿った拡大断面図である。
【図７】電源ボタンの斜視図である。
【図８】透過部が外された状態の電源ボタンの斜視図である。
【図９】透過部が外された状態の電源ボタンを裏側から見た斜視図である。
【図１０】電源ボタンが上昇した位置にあるときの本体部の平面図である。
【図１１】図１０のＸＩ−ＸＩ線に沿った拡大断面図である。
【図１２】図１０のＸＩＩ−ＸＩＩ線に沿った拡大断面図である。
【図１３】弾性体としてコイルバネを用いた場合の断面図である。
【図１４】図１におけるＢ部の拡大図である。
【図１５】図１４におけるＸＶ−ＸＶ線に沿った断面図である。
【図１６】上方に持ち上げられた状態の反射板を示す斜視図である。
【図１７】図１６におけるＸＶＩＩ−ＸＶＩＩ線に沿った断面図である。
【図１８】反射板から投光された光の照射範囲を示す、ノートパソコンの本体部の平面図である。
【発明を実施するための形態】
【００１１】
次に、実施形態について図面を参照しながら説明する。
【００１２】
図１は一実施形態による照明装置が設けられた電子機器の斜視図である。図１には、照明装置が設けられた電子機器の一例としてノートパソコンが示されている。本実施形態による照明装置が設けられる電子機器は、ノートパソコンに限定されることはない。例えば、デスクトップ型パソコンのキーボード等の操作部を有する機器にも本実施形態による照明装置を適用することができる。
【００１３】
図１に示すノートパソコン１０は、アルファベットキー２２や各種機能キー２４が配置された入力操作部２６を有する本体部２０と、ＬＣＤ等の表示装置３２を有する表示部３０とを有する。表示部３０の一辺が本体部２０の一辺に取り付けられ、表示部３０は本体部２０に対して回動可能である。
【００１４】
本体部２０において、入力操作部２６の近傍に、電源ボタン４０及びインジケータ５０Ａ〜５０Ｅが配置されている。
【００１５】
電源ボタン４０は、ノートパソコン１０の電源をＯＮ・ＯＦＦするためのスイッチボタンである。電源ボタン４０は操作者が指で押すことで操作される部品であり、指で押しやすいようにある程度の大きさを有している。
【００１６】
インジケータ５０Ａ〜５０Ｅは、ノートパソコン１０の動作状態を表示するための表示灯である。インジケータ５０Ａ〜５０Ｅは点灯することで、様々な動作や機能のＯＮ・ＯＦＦ状態を表示する。
【００１７】
本実施形態では、電源ボタン４０を内部から照明するための光源を利用して入力操作部の各種キーを照明する。また、インジケータ５０Ａ〜５０Ｅを点灯するための光源を利用して、入力操作部の各種キーを照明する。
【００１８】
まず、電源ボタン４０を内部から照明するための光源を利用して入力操作部２６の各種キー２２，２４を照明する照明装置について説明する。各種キー２２，２４を含む入力操作部２６は、照明される部分であり、被照明部に相当する。
【００１９】
図２は図１に示すＡ部の拡大図である。電源ボタン４０は後述のように上に飛び出すことができるボタンである。図１及び図２に示す状態は、電源ボタン４０が押し下げられて、スライドノブ４２により固定された状態である。
【００２０】
図３は電源ボタン４０が上にせり出した状態を示す図である。本実施形態では、電源ボタン４０が図３に示すように上に持ち上がることで、電源ボタン４０の側面から光がキー２２，２４に向かって照射され、キー２２，２４を照明することができる。
【００２１】
図４はノートパソコン１０の本体部２０の平面図である。電源ボタン４０は、アルファベットキー２２及び各種機能キー２４が設けられた入力操作部２６の近傍に設けられている。電源ボタン４０は頂面４０ａを有する円筒状の部材であり、電源スイッチであることを表すアイコン４０ｂが頂面４０ａに設けられている。後述のように、電源ボタン４０の下方に光源が設けられ、光源からの光が電源ボタン４０の内側からアイコン４０ｂに照射される。アイコン４０ｂは透明な部分のパターンとして形成されており、電源ボタン４０の内側から照射された光は、アイコン４０ｂを透過して電源ボタン４０の外部に射出される。これにより、アイコン４０ｂが光って電源ボタン４０の視認性が高められる。
【００２２】
図５は図４におけるＶ−Ｖ線に沿った拡大断面図である。図６は図４におけるＶＩ−ＶＩ線に沿った拡大断面図である。なお、図５及び図６に示す電源ボタン４０は、押し下げられた状態であり、頂面４０ａが本体部２０の筐体の上面２０ａとほぼ同じ高さになっている。この電源ボタン４０の位置が、ノートパソコン１０を通常に使用しているときの位置（キーの照明を行なわない状態）であり、非照明位置に相当する。
【００２３】
図５及び図６に示すように、電源ボタン４０は、頂面４０ａを有する円筒部材である。電源ボタン４０の内部は空洞となっており、頂面４０ａを形成する上板４０ｃの中央部分に、下方に延在するスイッチ押圧部４０ｄが形成されている。スイッチ押圧部４０ｄは細長いピンであり、補強のために周囲にリブが設けられている。図５及び図６では、周囲のリブが共に断面で示されているので、スイッチ押圧部４０ｄは電源ボタン４０の内側に延在する円錐状の部分として示されている。
【００２４】
本体部２０の内部で、電源ボタン４０の下方には、基板６０が配置されており、基板６０上にスイッチ６２が搭載されている。スイッチ６２は電源ボタン４０のスイッチ押圧部４０ｄの真下に位置するように配置されている。したがって電源ボタン４０の頂面４０ａが押されて電源ボタン４０が下降すると、スイッチ押圧部４０ｄが下降してスイッチ６２を押圧し、スイッチ６２は導通状態となる。スイッチ６２が導通状態となることで、電源投入信号がノートパソコン１０の制御部（図示せず）に供給され、ノートパソコン１０の電源がＯＮとされる。
【００２５】
基板６０上のスイッチ６２の周囲には、アイコン４０ｂを光らせるための光源として複数のＬＥＤ６４が配置されている。ＬＥＤ６４はノートパソコン１０に電源が供給されているときには常に点灯するようになっており、電源ボタン４０の内側に常に光を照射して、アイコン４０ｂを光らせている。
【００２６】
図５に示すように、電源ボタン４０のスイッチ押圧部４０ｄの先端を上方に押し上げるように付勢する板バネ６６が設けられている。板バネ６６の一端はスイッチ押圧部４０ｄの先端部分に係合し、他端は本体部２０の筐体や部品に固定されている。図５に示す状態において、電源ボタン４０はスライドノブ４２により係止されており、上方に移動できない状態である。
【００２７】
ここで、電源ボタン４０の形状についてさらに詳細に説明する。図６に示すように、円筒状の電源ボタン４０の側壁４０ｅの一部は、透明な材料で形成された透過部４０ｆとなっている。透過部４０ｆは、電源ボタン４０が上昇すると本体部２０の筐体の上面２０ａより上に出て、入力操作部を臨むような位置となる。この状態において、ＬＥＤ６４からの光は透過部４０ｆを透過して入力操作部のキー２２，２４に照射される。
【００２８】
図７は電源ボタン４０の斜視図である。図８は透過部４０ｆが外された状態の電源ボタン４０の斜視図である。図９は透過部４０ｆが外された状態の電源ボタン４０を裏側から見た斜視図である。
【００２９】
図８に示すように、電源ボタン４０の側壁４０ｅの一部が切り欠かれており、その部分に透過部４０ｆが嵌め込まれる。透過部４０ｆは透明な材料で形成されており、ＬＥＤ６４からの光は、電源ボタン４０の内面で反射してから透過部４０ｆに集まり、透過部４０ｆを透過して外側に射出される。
【００３０】
電源ボタン４０の上板４０ｄも透明な材料で形成されているが、頂面４０ａ又は頂面４０ａの反対側の面（電源ボタンの内側の面）に反射膜が設けられている。上述のアイコン４０ｂは反射膜が形成されていない部分に相当し、ＬＥＤ６４からの光は、アイコン４０ｂを透過して電源ボタン４０の外側に出ることができる。反射膜は、例えば金属薄膜であり、蒸着等で電源ボタン４０に形成することができる。この反射膜は、図９に示す電源ボタン４０の側壁４０ｅの内面にも形成されることが好ましい。
【００３１】
以上のように、電源ボタン４０の側壁４０ｅ及び上板４０ｄの内面は、ＬＥＤ６４からの光を反射する反射面として機能する。反射面で反射された光は透過部４０ｆに集まり、透過部４０ｆを透過して電源ボタン４０の外部に照射される。このように、電源ボタン４０の内面の反射面と透過部４０ｆとは、光を照射する投光部に相当する。
【００３２】
図１０は電源ボタン４０が上昇した位置にあるときの本体部２０の平面図である。図１１は図１０のＸＩ−ＸＩ線に沿った拡大断面図である。図１２は図１０のＸＩＩ−ＸＩＩ線に沿った拡大断面図である。
【００３３】
図１１に示すように、スライドノブ４２を矢印Ａ方向に移動させると、電源ボタン４０との係合が解除される。すると、板バネ６６で付勢されている電源ボタン４０は上方に移動し、側壁４０ｅの一部としての透過部４０ｆが本体部２０の筐体の上面から現れる。電源ボタン４０の内側の下方ではＬＥＤ６４が発光しており、ＬＥＤ６４からの光は、図１２に示すように電源ンボタン４０の内面の反射面で反射してから透過部４０ｆを透過して電源ボタン４０から射出される。
【００３４】
図１０には、透過部４０ｆから照射される光の範囲が二点鎖線で示されている。二点鎖線Ｂ及びＣの間の範囲は、透過部４０ｆのレンズ面の中央付近から射出された光で照明される部分であり、明るい部分である。二点鎖線Ａ及びＢの間の領域、及び二点鎖線Ｃ及びＤの間の領域は、透過部４０ｆのレンズ面の側部付近から射出された光で照明される部分であり、二点鎖線Ｂ及びＣの間の範囲よりは暗いが、透過部４０ｆからの光で照明される部分である。
【００３５】
電源ボタン４０の透過部４０ｆからの光で照明される部分は、入力操作部のキーのほぼ全体にわたっており、電源ボタン４０に対して設けられている既存の光源（ＬＥＤ６４）により、入力操作部２６のほぼ全体を照明することができる。
【００３６】
なお、電源ボタン４０を付勢するための弾性体として、板バネ６６が設けられているが、この弾性体としては板バネ６６に限られず、コイルバネやゴム等の弾性体を用いてもよい。図１３は、弾性体としてコイルバネを用いた場合の断面図である。図１３において、板バネ６６に代えてコイルバネ６８が電源ボタン４０と基板６０の間に配置されており、電源ボタン４０を付勢している。
【００３７】
入力操作部２６の照明が必要無いときは、電源ボタン４０を指で軽く押し下げることで、電源ボタン４０を元の位置（図５に示す位置であり非照明位置に相当する）に戻すことができる。電源ボタン４０が図５に示す位置まで押し下げられると、電源ボタン４０に向けて付勢されているスライドノブ４２が電源ボタン４０の側面の凹部に係合する。これにより、電源ボタン４０は図５に示す位置に保持される。入力操作部２６の照明が必要となったら、スライドノブ４２を電源ボタン４０から離れる方向に移動することにより、電源ボタン４０は自動的に上昇する。これにより、電源ボタン４０は、透過部４０ｆが本体部２０の筺体から露出する位置（照明位置に相当する）となり、ＬＥＤ６４からの光が透過部４０ｆを透過して入力操作部２６に向けて射出される。
【００３８】
上述の電源ボタン４０の昇降機構の一例として、電源ボタン４０を付勢する板バネ６６と電源ボタン４０を保持するスライドノブ４２との組み合わせについて説明したが、昇降機構はこれに限ることなく、他の周知の機構を適用することができる。例えば、電源ボタン４０の側面にらせん状の溝を設けて、電源ボタン４０が上昇又は下降しながら回転することを利用して、電源ボタン４０を上下の位置に保持することができる。また、押し下げタイプの電気スイッチの昇降機構を利用することもできる。
【００３９】
以上の如く、本実施形態によれば、電源ボタン４０の内面の反射面と透過部４０ｆとによる投光部と、電源ボタン４０を内側から照明する既存の光源であるＬＥＤ６４とにより、入力操作部２６を照明する照明装置が構成される。この照明装置の光源は既存のＬＥＤ６４であり、新たに光源を追加で設ける必要は無い。また、電源ボタン４０を上昇させる機構は、電源ボタン４０を係止するためのスライドノブ４２と、電源ボタン４０を上方に付勢するための弾性体である板バネ６６又はコイルバネ６８のみである。したがって、照明装置を形成するために新たに追加する部品点数は少なく、その構造も簡単であり、照明装置を形成するためのノートパソコン１０の製造コストの上昇分は極僅かである。
【００４０】
本実施形態によるノートパソコン１０には、上述の電源ボタン４０の光源を利用した照明装置の他に、インジケータ５０Ａ〜５０Ｅの光源を利用した照明装置が設けられている。
【００４１】
図１４は図１におけるＢ部の拡大図である。インジケータ５０Ａ〜５０Ｅの各々は、本体部２０の筐体から露出した導光部７２の一端である。以下、インジケータ５０Ａ〜５０Ｅを総称してインジケータ５０と称することもある。本体部２０の筐体内部に設けられた光源が発光することで、インジケータ５０から光が射出され、ノートパソコン１０の機能や動作の状態をＯＮ・ＯＦＦ表示することができる。本実施形態では、整列したインジケータ５０に沿って、その近傍に反射板８０が設けられる。反射板８０は、後述のように、インジケータ５０用の光源からの光を入力操作部２６のキーに向けて投光するための投光部を構成する。
【００４２】
図１５は図１４におけるＸＶ−ＸＶ線に沿った断面図である。図１５に示すように、一端がインジケータ５０を構成する導光部７２は、本体部２０の内部の基板７０に搭載されている。基板７０上で、導光部７２の端部に面する位置に、インジケータ５０用の光源としてＬＥＤ７４が配置されている。ＬＥＤ７４が発光すると、光は導光部７２を透過してインジケータ５０から射出される。これにより、インジケータ５０による表示が行なわれる。
【００４３】
ＬＥＤ７４の上方に、反射板８０が設けられている。反射板８０は、樹脂製の細長いコの字型の部材であり、ＬＥＤ７４の上方で上下に移動可能である。すなわち、反射板８０の両側を指でつまんで持ち上げることで、本体部２０の筺体の上面２０ｃと反射板８０の間に開口が形成され、この開口を通じて、反射板８０の下に配置されているＬＥＤ７４からの光を本体部２０の筐体の外に射出させることができる。
【００４４】
反射板８０の底面には、ＬＥＤ７４に向かう方向に対してほぼ４５度に傾斜した反射面８０ａが設けられている。反射面８０ａは、ＬＥＤ７４からの光を反射してその進行方向をほぼ９０度曲げるために設けられる。
【００４５】
図１６は、上方に持ち上げられた状態の反射板８０を示す斜視図である。図１７は、図１６におけるＸＶＩＩ−ＸＶＩＩ線に沿った断面図である。インジケータ５０用の光源からの光を入力操作部２６に照射するときは、図１６に示すように、反射板８０を上方に持ち上げる。この操作は、ノートパソコン１０のユーザが反射板８０の長手方向の端部を指でつまみながら上方に持ち上げることで行われる。このため、反射板８０の長手方向の端部付近の筺体には凹部２０ｂが形成され、反射板８０を掴みやすくなっている。
【００４６】
コの字型の反射板８０の両端の側部は、僅かに外側に開くように形成されており、本体部２０の筺体に押圧されている。これにより、反射板８０の両端の側部と本体部２０の筺体との間の摩擦力で、反射板８０を持ち上げた状態で止めておくことができる。このように反射板８０が持ち上げられた位置が、照明位置に相当する。入力操作部２６の照明が不要になったときは、反射板８０の上面を指で軽く押し下げることで、容易に元の位置（図１４に示す位置：非照明位置）に戻すことができる。
【００４７】
図１６に示すように反射板８０を持ち上げた状態とすると、図１７に示すように反射板８０で塞がれていた本体部２０の筺体の開口２０ｃが露出する。したがって、反射板８０の下方に位置しているＬＥＤ７４からの光は、開口２０ｃを通過してから反射板８０の反射面８０ａで反射され、入力操作部３６のキーに向けて投光される。
【００４８】
図１８はノートパソコン４０の本体部２０の平面図であり、反射板８０から投光された光の照射範囲が示されている。反射板８０の長手方向にほぼ垂直な方向の範囲、すなわち二点鎖線Ｂ及びＣの間の範囲は反射板８０から投光された光が多くあたる部分であり、明るい部分である。この範囲の両側の範囲、すなわち二点鎖線Ａ及びＢの間の範囲及び二点鎖線Ｃ及びＤの間の範囲は、反射板８０の両側部で回折された光があたる部分であり、二点鎖線Ｂ及びＣの間の範囲よりは暗いが、反射板８０からの光で照明される部分である。
【００４９】
反射板８０からの光で照明される部分は、入力操作部のキーの大部分であり、インジケータ５０用に設けられている既存の光源（ＬＥＤ７４）により、入力操作部の大部分を照明することができる。
【００５０】
なお、本実施形態では反射板８０全体を昇降させて本体部２０の筺体の開口２０ｃを露出させているが、他の方法で反射板８０を移動して開口２０ｃを露出させることもできる。例えば、反射板８０の長手方向の一辺（入力操作部から遠いほうの辺）を中心に回転させることで、筺体の開口２０ｃを露出させることができる。
【００５１】
また、本実施形態では複数の（５個の）インジケータ５０Ａ〜５０Ｅに対する複数のＬＥＤ７４に対して反射板８０が設けられているが、一つの反射板に対する光源としてのＬＥＤの数は５個に限らず、１個でもよく、２〜４個や６個以上の個数であってもよい。
【００５２】
本実施形態によれば、投光部として機能する反射面８０ａを有する昇降可能な反射板８０と、反射面８０ａに光を照射する既存の光源であるＬＥＤ７４とにより、入力操作部２６を照明する照明装置が構成される。この照明装置の光源は既存のＬＥＤ７４であり、新たに光源を追加で設ける必要は無い。また、反射板８０は指で掴んで持ち上げるたり押し下げたりするだけであり、特に昇降機構を設ける必要はない。したがって、照明装置を形成するために新たに追加する部品点数は少なく、その構造も簡単であり、照明装置を形成するためのノートパソコン１０の製造コストの上昇分は極僅かである。
【００５３】
以上のように本明細書は以下の事項を開示する。
（付記１）
被照明部の近傍に配置され、前記被照明部の照明以外の機能のために設けられた光源と、
照明位置と非照明位置との間で移動可能であり、前記照明位置に移動した際に前記光源からの光を前記被照明部に向けて照射する投光部と
を有する照明装置。
（付記２）
付記１記載の照明装置であって、
前記投光部は、前記光源からの光を異なる方向に向けて反射する反射面の内面を含む照明装置。
（付記３）
付記２記載の照明装置であって、
前記投光部の前記反射面は、前記光源からの光を９０度異なる方向に向けて反射する照明装置。
（付記４）
付記１乃至３のうちいずれか一項記載の照明装置であって、
前記投光部の前記照明位置は、前記非照明位置より前記光源から離間した位置である照明装置。
（付記５）
付記４記載の照明装置であって、
前記投光部を、前記光源から離間する方向に付勢する弾性体を有する照明装置。
（付記６）
付記５記載の照明装置であって、
前記投光部は上面を有して底面が解放された円筒部材として形成され、前記底面側に前記光源が配置され、前記投光部の内面が前記反射面として機能する照明装置。
（付記７）
付記６記載の照明装置であって、
前記円筒部材の側壁の一部に、透明な材料で形成された透過部が設けられ、前記円筒部材の反射面で反射された光を該透過部を透過させて前記円筒部材の外に照射する照明装置。
（付記８）
付記５乃至７のうちいずれか一項記載の照明装置であって、
前記円筒部材の移動方向に対して垂直な方向に移動可能で、前記円筒部材に係合して前記円筒部材の移動を阻止する保持部材を有する照明装置。
（付記９）
付記５記載の照明装置であって、
前記投光部は前記光源に対向する平面を有する部材である照明装置。
（付記１０）
付記９記載の照明装置であって、
前記平面は、前記光源に向かう方向に対して傾斜した傾斜面を有し、該傾斜面が前記反射面として機能する照明装置。
（付記１１）
付記９又は１０記載の照明装置であって、
前記投光部に対向して複数の前記光源が配置される照明装置。
（付記１２）
付記１乃至１１のうちいずれか一項記載の照明装置を有し、
前記照明装置からの光で入力操作部を照明する電子機器。
（付記１３）
付記１２記載の電子機器であって、
前記光源は、前記照明装置の光源として用いられる以外に前記電子機器の表示機能用の光源として用いられる電子機器。
（付記１４）  
付記１２又は１３記載の電子機器であって、
前記投光部の前記非照明位置は前記投光部が前記電子機器の本体の筺体内に収容される位置であり、前記照明位置は前記投光部が前記筺体から突出した位置である電子機器。
【符号の説明】
【００５４】
１０  ノートパソコン
２０  本体部
２０ａ  上面
２０ｂ  凹部
２０ｃ  開口
２２  アルファベットキー
２４  機能キー
２６  入力操作部
３０  表示部
３２  表示装置
４０  電源ボタン
４０ａ  頂面
４０ｂ  アイコン
４０ｃ  上板
４０ｄ  スイッチ押圧部
４０ｅ  透過部
５０，５０Ａ〜５０Ｅ  インジケータ
６０  基板
６２  スイッチ
６４  ＬＥＤ
６６  板バネ
７０  基板
７２  導光部
７４  ＬＥＤ
８０  反射板
８０ａ  反射面
【図１】
2014120288.tif 000003
【図２】
2014120288.tif 000004
【図３】
2014120288.tif 000005
【図４】
2014120288.tif 000006
【図５】
2014120288.tif 000007
【図６】
2014120288.tif 000008
【図９】
2014120288.tif 000009
【図１０】
2014120288.tif 000010
【図１１】
2014120288.tif 000011
【図１２】
2014120288.tif 000012
【図１３】
2014120288.tif 000013
【図１４】
2014120288.tif 000014
【図１５】
2014120288.tif 000015
【図１６】
2014120288.tif 000016
【図１７】
2014120288.tif 000017
【図１８】
2014120288.tif 000018
【図７】
2014120288.tif 000019
【図８】
2014120288.tif 000020